(57)【要約】【課題】  壁パネルが下端部の２箇所で躯体等に支持され、隣接する壁パネル間の縦目地の幅が小さい場合に、幅方向に隣接する壁パネルとの衝突を回避しながら、壁パネルの下端部を破損から保護する。【解決手段】  躯体1A、もしくは下地材1Bの、壁パネル２の下端部の幅方向両側に対応した２箇所に固定されたピン３，３を壁パネル２の下端部に、壁パネル２に対して相対移動自在に挿通させ、層間変位時に壁パネル２をいずれか一方のピン３の位置を支点として回転させながら、他方のピン３に沿って上昇及び降下自在にすることにより、幅方向に隣接する壁パネル３との衝突による破損を回避すると共に、躯体1A、もしくは下地材1Bの、少なくとも壁パネル２の下端部の下に対応した２箇所のピン３，３の間に緩衝材６を設置することにより壁パネル２の下端部を破損から保護する。【選択図】      図１
2004346730.tif 000002
【特許請求の範囲】
【請求項１】
下端部において躯体、もしくは下地材に対して回転自在、且つ昇降自在に支持され、上端部において躯体、もしくは下地材に回転自在、且つ昇降自在に接続された壁パネルの支持構造であり、躯体、もしくは下地材の、壁パネルの下端部の幅方向両側に対応した２箇所に固定されたピンが、壁パネルの下端部に、壁パネルに対して相対移動自在に挿通すると共に、少なくとも前記２箇所のピンの間に緩衝材が設置されており、壁パネルは層間変位時にいずれか一方のピンの位置を支点として回転しながら、他方のピンに沿って上昇及び降下自在である壁パネルの支持構造。
【請求項２】
躯体、もしくは下地材の、壁パネルの下端部に対応した位置に、壁パネルが上方から嵌合し得る形状をした保持部材が固定され、この保持部材にピンが固定されている請求項１記載の壁パネルの支持構造。
【請求項３】
保持部材は躯体、もしくは下地材に設置された充填材に定着されて固定されている請求項２記載の壁パネルの支持構造。
【請求項４】
壁パネルの上端部は上部ファスナーに保持され、上部ファスナーは躯体、もしくは下地材の、上部ファスナーに対応した位置に回転自在に支持された受け部材に回転自在、且つ昇降自在に接続されている請求項１乃至請求項３のいずれかに記載の壁パネルの支持構造。
【請求項５】
受け部材は躯体、もしくは下地材に固定された支持部材に回転自在に支持されている請求項４記載の壁パネルの支持構造。
【請求項６】
壁パネルは高さ方向に配列する複数枚のパネルからなり、上下に隣接するパネルは互いに連結されている請求項１乃至請求項５のいずれかに記載の壁パネルの支持構造。
【請求項７】
上下に隣接するパネル間に両パネルを保持する中間部ファスナーが跨り、中間部ファスナーは躯体、もしくは下地材の、中間部ファスナーに対応した位置に回転自在に支持された受け部材に回転自在、且つ昇降自在に接続されている請求項６記載の壁パネルの支持構造。
【発明の詳細な説明】
【技術分野】
【０００１】
この発明は外壁や内壁を構成する、例えば変形能力の乏しい壁パネルが層間変位に追従し、復帰するときの隣接する壁パネルとの衝突を回避し、復帰するときの下端部における衝撃を緩和する壁パネルの支持構造に関するものである。
【背景技術】
【０００２】
例えばカーテンウォール等の外壁材として石材パネルやＰＣパネル等のように硬いパネルを使用する場合には、地震時の層間変位時にパネルに面内の荷重を加えないよう、パネルは図12−(a)に示すように上下及び左右に隣接するパネル間に目地を形成しながら配列させられる。各目地には不定形シーリング材等が充填され、層間変位時にはシーリング材が変形することにより(b)に示すように上下に隣接するパネル間に相対変位が生じて追従する。
【０００３】
石材パネルやＰＣパネルはパネルとしての剛性は高い一方、脆性材料であることから、表層部分が衝撃を受けたときに破損し易いため、パネルの周囲はパネルが層間変位に追従した後、原位置に復帰したときの衝撃が緩和されるように処理される必要がある。
【０００４】
通常は隣接するパネル間にシーリング材、または減衰効果を有する粘弾性体等の充填材を充填することによってパネルの周囲を保護することになるが、パネルの全周に充填材を充填すれば、層間変位に伴うパネルの揺れを阻害し、パネルの面内に応力を発生させる可能性があるため、層間変位への追従性を確保する上では充填材はパネルの全周の内、縦目地等、部分的に配置されることになる（特許文献１、特許文献２参照）。
【特許文献１】特開平11-62058号公報
【特許文献２】特開2000-54679号公報
【発明の開示】
【発明が解決しようとする課題】
【０００５】
しかしながら、パネルが下端部の２箇所で躯体等に支持される場合には、層間変位に追従した後、原位置に復帰するときに受ける自重による衝撃は躯体等への支持位置である下端部に生ずるため、パネルは下端部の衝撃に対して保護されている必要がある。
【０００６】
一方、パネルが幅方向に隣接して設置される場合に、外観に連続性を持たせる目的で、図14のように横方向に隣接するパネル間に十分な目地を確保せず、パネル間の縦目地の幅を小さくした眠り目地工法を採用する場合には、幅方向に隣接するパネルとの衝突による破損が生じないよう、層間変位への追従時の振動が規制され、原位置への復帰時に確実に原位置に復帰するように躯体等に対して支持されている必要がある。
【０００７】
この発明はパネルが下端部の２箇所で躯体等に支持されることに加え、隣接するパネル間の縦目地の幅が小さい場合に、パネルの側面と下端部を破損から保護する壁パネルの支持構造を提案するものである。
【課題を解決するための手段】
【０００８】
本発明では躯体、もしくは下地材の、壁パネルの下端部の幅方向両側に対応した２箇所に固定されたピンを壁パネルの下端部に、壁パネルに対して相対移動自在に挿通させ、層間変位時に壁パネルをいずれか一方のピンの位置を支点として回転させながら、他方のピンに沿って上昇及び降下自在にすることにより、層間変位への追従時の振動を規制し、幅方向に隣接する壁パネルとの衝突による破損を回避すると共に、躯体、もしくは下地材の、少なくとも壁パネルの下端部の下に対応した２箇所のピンの間に緩衝材を設置することにより、壁パネルの下端部を破損から保護する。
【０００９】
壁パネルは上記のように下端部において躯体、もしくは下地材に対して回転自在、且つ昇降自在に支持され、上端部において躯体、もしくは下地材に回転自在、且つ昇降自在に接続される。壁パネルの上端部は例えば壁パネルの上端部を保持する上部ファスナーを介して躯体や下地材に回転自在、且つ昇降自在に接続される。壁パネルはカーテンウォールのように屋外に面して設置される外壁パネルと屋内に設置される内壁パネルを含む。
【００１０】
躯体や下地材の２箇所に固定されたピンが壁パネルの下端部の幅方向両側にピンの軸方向に相対移動自在に挿通することで、層間変位時に壁パネルは下端部にピンが挿通したまま、躯体や下地材への支持位置であるいずれか一方のピンの位置を支点として回転しながら、他方のピンに沿って上昇した後、降下して層間変位に追従し、正負の方向に交互に回転変位する。回転変位後の復帰時には２箇所のピンに案内されることで、確実に原位置に復帰する。
【００１１】
回転変位後、原位置に復帰するとき、上昇した側の壁パネルの下端は支点の位置に衝突しようとするが、少なくとも２箇所のピンの間に緩衝材が設置されていることで、復帰時の速度が低減され、衝撃が緩和される。緩衝材には発泡ポリウレタンその他の発泡体や粘弾性体、スポンジ等が使用されるが、変形能力と復元能力を有する材料であれば、緩衝材の種類は問われない。
【００１２】
ピンは躯体や下地材の２箇所に任意の手段で固定されるが、請求項２に記載のように躯体、もしくは下地材の、壁パネルの下端部に対応した位置に、壁パネルが上方から嵌合し得る形状をした保持部材を固定し、この保持部材にピンを固定すれば、壁パネルの回転変位後の復帰時に保持部材が壁パネルの下端部を受け止める働きをするため、壁パネルの原位置への復帰がより確実になる。
【００１３】
保持部材は例えば請求項３に記載のように躯体、もしくは下地材に設置されたモルタルやコンクリート、接着剤等の充填材に定着されることにより躯体や下地材に固定される。
【００１４】
壁パネルの上端部は例えば前記のように上部ファスナーに保持され、上部ファスナーを介して躯体や下地材に接続されるが、具体的には請求項４に記載のように躯体や下地材の、上部ファスナーに対応した位置に回転自在に支持された受け部材に上部ファスナーが回転自在、且つ昇降自在に接続されることにより、壁パネルの上端部が躯体や下地材に回転自在、且つ昇降自在に接続される。
【００１５】
受け部材は躯体や下地材に直接回転自在に支持される他、請求項５に記載のように躯体や下地材に固定された支持部材に回転自在に支持される。
【００１６】
請求項４の場合、壁パネル面内方向の層間変位δの発生時には図13−(b) に示すように壁パネルの下端部の両側の内、いずれか一方側を支持する保持部材が支点となって壁パネルが回転することにより追従する。上部ファスナーはそれを受ける受け部材に対して回転しながら、受け部材に対して相対的に上昇すると同時に、受け部材が躯体や下地材に対して回転する。
【００１７】
壁パネルが図14−(a)に示すように高さ方向に配列する複数枚のパネルからなる場合には、複数枚のパネルが突き合わせられて高さ方向に配列することで、上下に隣接する各パネル間の横目地にそれより上に位置するパネルの重量に応じた摩擦力が生じ、上下のパネル間の摩擦力は横方向に隣接する壁パネルとの間の縦目地に生ずる摩擦力より大きくなる。
【００１８】
この結果、図14−(b)に示すように高さ方向に配列する複数枚のパネルからなる壁パネルは複数枚のパネルが一体となった１枚の板として壁パネル毎に挙動することができるため、上下に隣接するパネルは必ずしも連結される必要はないが、安全性の面からはパネル間の摩擦力による一体性を補い、パネル毎の独立した挙動を生じさせないために、必要により請求項６に記載のように互いに連結される。上下のパネルの連結は単純に接着されることにより、または双方にピンや板等を跨設することにより、あるいは請求項７に記載のように両パネルを保持する中間部ファスナーを跨設することにより行われる。
【００１９】
図14−(a)のように石材等の表面の質感を強調する目的で、目地が見えないように高さ方向及び横方向に隣接するパネルを突き合わせて配列させ、パネルが二方向に連続しているような外観を構成する眠り目地工法によれば、横方向に隣接するパネル間に相対変位できる十分な遊びがないために、層間変位時にパネルに荷重を加え、破損させる可能性があることから、層間変位に追従させるように躯体や下地材に支持させることができず、適用対象は比較的地震時の層間変位量が小さいコンクリート造構造物に限られている。
【００２０】
これに対し、本発明によれば、請求項６、請求項７のように壁パネルが高さ方向に配列する複数枚のパネルからなる場合に、上下に隣接するパネルが互いに連結されることで、全パネルの荷重を負担する最下部のパネルの下端部において躯体や下地材に回転自在、且つ昇降自在に支持され、最上部のパネルの上端部において躯体や下地材に回転自在、且つ昇降自在に接続されることになり、壁パネルは最下部のパネルのいずれか一方の支点回りに回転して層間変位に追従するため、層間変位が大きくなる鉄骨造等の躯体や下地材に対しても石材パネルやＰＣパネル等の硬いパネルを使用することが可能になる。
【００２１】
上下に隣接するパネルを保持する中間部ファスナーを用いる場合、中間部ファスナーは請求項７に記載のように上下に隣接するパネル間に跨り、躯体、もしくは下地材の、中間部ファスナーに対応した位置に回転自在に支持された受け部材に回転自在、且つ昇降自在に接続される。この場合、パネルの突合せ部分においてパネル面が受ける風圧力が躯体に伝達されるため、風圧力に対する壁パネルの安全性が向上する。
【発明の効果】
【００２２】
躯体、もしくは下地材の、壁パネルの下端部の幅方向両側に対応した２箇所に固定されたピンを壁パネルの下端部に、壁パネルに対して相対移動自在に挿通させると共に、躯体、もしくは下地材の、少なくとも２箇所のピンの間に緩衝材を設置するため、層間変位時に壁パネルをいずれか一方のピンの位置を支点として回転させながら、他方のピンに沿って上昇及び降下自在にすることができ、層間変位への追従時の振動を規制し、回転変位後の復帰時に確実に原位置に復帰させつつ、幅方向に隣接するパネルとの衝突による破損を回避しながら、壁パネルの下端部を破損から保護することができる。
【００２３】
請求項２、請求項３では躯体、もしくは下地材の、壁パネルの下端部に対応した位置に、壁パネルが上方から嵌合し得る形状をした保持部材を固定し、この保持部材にピンを固定することで、壁パネルの回転変位後の復帰時に保持部材に壁パネルの下端部を受け止める働きをさせることができるため、壁パネルの原位置への復帰がより確実になる。
【００２４】
請求項４、請求項５では躯体や下地材の、上部ファスナーに対応した位置に受け部材を回転自在に支持させ、上部ファスナーを受け部材に回転自在、且つ昇降自在に接続させることで、壁パネルの上端部を躯体や下地材に回転自在、且つ昇降自在に接続するため、層間変位が発生し、壁パネルの下端部の両側の内、いずれか一方側を支持する保持部材が支点となって壁パネルが回転しようとするときに、円滑に回転変位することができる。
【００２５】
請求項６、請求項７では壁パネルが高さ方向に配列する複数枚のパネルからなる場合に、上下のパネルを連結することで、全パネルの荷重を負担する最下部のパネルの下端部において躯体や下地材に回転自在、且つ昇降自在に支持され、最上部のパネルの上端部において躯体や下地材に回転自在、且つ昇降自在に接続されることになるため、壁パネルは最下部のパネルのいずれか一方の支点回りに回転して層間変位に追従することができ、層間変位が大きくなる鉄骨造等の躯体や下地材に対しても石材パネル等の硬いパネルを使用することが可能になる。
【００２６】
請求項７では上下に隣接するパネル間に両パネルを保持する中間部ファスナーを跨らせ、中間部ファスナーを躯体、もしくは下地材に回転自在に支持された受け部材に回転自在、且つ昇降自在に接続することで、パネルの突合せ部分においてパネル面が受ける風圧力を躯体に伝達することができるため、風圧力に対する壁パネルの安全性が向上する。
【発明を実施するための最良の形態】
【００２７】
この発明は図１、図２に示すように下端部において躯体1A、もしくは下地材1Bに対して回転自在、且つ昇降自在に支持され、上端部において躯体1A、もしくは下地材1Bに回転自在、且つ昇降自在に接続された壁パネル２を躯体1A、もしくは下地材1Bに層間変位に追従自在に支持させながら、回転変位時の壁パネル２の側面と、回転変位後、復帰するときの壁パネル２の下端部を衝撃から保護する壁パネル２の支持構造である。
【００２８】
図１、図４に示すように躯体1A、もしくは下地材1Bの、壁パネル２の下端部の幅方向両側に対応した２箇所にはピン３，３が固定され、ピン３，３は壁パネル２の下端部の両側に、壁パネル２に対して相対移動自在に挿通し、壁パネル２は層間変位時にいずれか一方のピン３の位置を支点として回転しながら、他方のピン３に沿って上昇及び降下自在となる。壁パネル２は屋外に設置される外壁パネルと屋内に設置される内壁パネルを含むが、図１〜図３、及び図４〜図７は壁パネル２を内壁パネルとして用いた場合を示す。
【００２９】
ピン３は例えば躯体1A、もしくは下地材1Bの、壁パネル２の下端部の幅方向両側に対応した位置に固定された保持部材４に固定される。保持部材４は平常時に壁パネル２を厚さ方向両側から保持し、壁パネル２の回転変位後の復帰時に壁パネル２の下端を受け止める働きをすることから、壁パネル２が上方から嵌合し得る例えば溝形の断面形状をし、躯体1A、もしくは下地材1Bにはその上に設置されるモルタル、グラウト材、コンクリート、接着剤等の充填材５に定着されることにより固定される。
【００３０】
保持部材４は対向するフランジによって壁パネル２を保持することもできるが、図２、図７では溝形断面の保持部材４の一方のフランジにボルト６を螺入させ、ボルト６の先端を壁パネル２の背面に接触させることで、他方のフランジとボルト６によって壁パネル２を面外方向の移動に対して拘束している。
【００３１】
ピン３は保持部材４を貫通し、保持部材４の上面側に突出した状態で鉛直方向を向いて固定される。図面ではピン３を、保持部材４を充填材５に定着させるためのアンカーとしても併用するために、ピン４にボルトを使用し、ボルトの頭部を充填材５中に定着させている。
【００３２】
壁パネル２の下端部には図１、図２に示すように下端からピン３，３が嵌入する嵌入孔2a，2aが形成されており、平常時及び層間変位時、ピン３，３はこの嵌入孔2a，2aに嵌入した状態に保たれる。嵌入孔2aはピン３が嵌入孔2aに嵌入したまま、壁パネル２が躯体1A、もしくは下地材1Bに対して回転変位できるよう、ピン３の径より大きめに形成される。
【００３３】
図１、図６に示すように少なくとも２箇所のピン３，３の間、もしくは保持部材４，４の間、保持部材４が充填材５に固定される場合は充填材５，５の間には壁パネル２が層間変位に追従して回転変位した後、復帰するときの衝撃を緩和する発泡体や粘弾性体、スポンジ等の緩衝材６が設置される。充填材５，５が設置される場合、緩衝材６は充填材５，５の間に設置され、充填材５，５に拘束される。図６は壁パネル２の幅方向の中央に関して充填材５の外側にも緩衝材６を設置した場合を示す。
【００３４】
図１のように緩衝材６が充填材５，５の間にのみ設置される場合には、図２に示すように充填材５の回り、すなわち充填材５を挟んだ緩衝材６の反対側に躯体1A、もしくは下地材1Bと壁パネル２との間の隙間を埋める裏込めモルタル７が充填される場合があるが、充填材５はこの裏込めモルタル７がその充填時に緩衝材６側へ流入しないよう、塞き止める働きもする。
【００３５】
壁パネル２の上端部は図１〜図３、図７に示すようにそれを保持する上部ファスナー８を介して躯体1A、もしくは下地材1Bに回転自在、且つ昇降自在に接続される。躯体1A、もしくは下地材1Bの、上部ファスナー８に対応した位置には受け部材９が回転自在に躯体1A、もしくは下地材1Bに支持され、上部ファスナー８は受け部材９に回転自在、且つ昇降自在に接続される。上部ファスナー８は１枚の壁パネル２に付き、少なくとも２箇所配置され、例えば壁パネル２の上端面に形成された溝に嵌合することにより壁パネル２を保持する。
【００３６】
受け部材９は躯体1A、もしくは下地材1Bに直接、または図示するように躯体1A、もしくは下地材1Bに固定された支持部材10に回転自在に支持される。図面では溝形断面の支持部材10の内周側に裏板11を配置し、裏板11を貫通するボルト12に受け部材９を回転自在に接続している。この場合、各受け部材９は壁パネル２が回転しようとするとき、躯体1A、もしくは下地材1Bへの支持軸であるボルト12の回りに回転する。
【００３７】
図４、図５は鉄骨梁の躯体1Aに接続された下地材1Bに１枚板の壁パネル２を単独で、横方向に隣接させない状態で支持させた様子を示す。図６は図４の下階側の躯体1Aの一方のピン３周辺部分の詳細図、図７は図５の拡大図である。
【００３８】
図８に示すように壁パネル２が高さ方向に配列する複数枚のパネル2Aからなる場合、上下に隣接するパネル2A，2Aは単純に突き合わせられる他、モルタル等による接着により、または図９、図10に示すようにパネル2A，2Aの端部間に跨る中間部ファスナー13やピン等によって互いに連結される。中間部ファスナー13も１枚の壁パネル２に付き、少なくとも２箇所配置され、例えば上側のパネル2Aの下端面と下側のパネル2Aの上端面に形成された溝に嵌合することにより両パネル2A，2Aを保持する。
【００３９】
中間部ファスナー13は躯体1A、もしくは下地材1Bの、中間部ファスナー13に対応した位置に回転自在に支持された受け部材14に回転自在、且つ昇降自在に接続される。受け部材14も躯体1A、もしくは下地材1Bに直接、または図９、図10に示すように躯体1A、もしくは下地材1Bに固定された支持部材15に回転自在に支持される。
【００４０】
受け部材14は受け部材９と同様に、溝形断面の支持部材15の内周側に配置された裏板16を貫通するボルト17に回転自在に接続される。受け部材14は壁パネル２が回転しようとするとき、躯体1A、もしくは下地材1Bへの支持軸であるボルト17の回りに回転する。
【００４１】
壁パネル２が複数枚のパネル2Aからなる場合、図９に示すように壁パネル２は下端部において保持部材４，４に支持され、上端部と中間部の受け部材９、14が躯体1A、もしくは下地材1Bに直接、もしくは支持部材10、15を介して間接的に支持されることにより受け部材８、14の支持軸であるボルト12、17の回りに回転自在となる。
【００４２】
各受け部材９、14には支持部材10、15に対する回転に伴う上部ファスナー８と中間部ファスナー13の昇降を案内する縦長の案内溝9a、14aが形成され、上部ファスナー８と中間部ファスナー13はそれぞれの軸部8a、13aにおいて案内溝9a、14aを挿通して受け部材９、14に接続される。上部ファスナー８と中間部ファスナー13の各軸部8a、13aはそれぞれに対応する受け部材９、14の案内溝9a、14aの下端から浮いた状態に置かれる。
【００４３】
図10では上部ファスナー８と中間部ファスナー13を受ける受け部材９、14の案内溝9a、14aを接続作業性の面より上方が開放した形に形成しているが、壁パネル２の浮き上がりによる上部ファスナー８と中間部ファスナー13の受け部材９、14からの離脱を防止する上では、図９に示すように両受け部材９、14の案内溝9a、14aも閉じた形に形成される。
【００４４】
上部ファスナー８と中間部ファスナー13は壁パネル２の回転時に案内溝9a、14aに沿って移動しながら回転するため、案内溝9a、14aを挿通する軸部8a、13aと、パネル2Aを保持する保持部8b、13bの二部分から構成される。図10では軸部8a、13aの、受け部材９、14の両面位置においてナット8c、13cでの抜け止めができるよう、軸部8a、13aにボルトを使用している。
【００４５】
この場合、各ナット8c、13cによって壁パネル２の躯体1A、もしくは下地材1Bに対する位置調整と落下防止が施される。ここではナット8c、13cの締め付けによる軸部8a、13aの回転を阻害しないよう、受け部材９、14とナット8c、13cとの間に四フッ化エチレンシート等の低摩擦材18を挟み込むと共に、ナット8c、13cのトルク管理が行えるよう、２重ナットにしている。低摩擦材18は必要によりボルト12、17の頭部と裏板11、16との間、及びボルト12、17に螺合するナットや座金と受け部材９、14との間にも配置される。
層間変位時には図９に示すように壁パネル２の下端部の内、層間変位時に回転変位しようとする側に位置する部分がピン３の位置を支点として回転しながら、他方のピン３側がそのピン３に沿って上昇する。
【００４６】
上部ファスナー８及び中間部ファスナー13が接続されている受け部材９、14はそれぞれを支持部材10、15に接続しているボルト12、17の回りに回転し、それに伴い、上部ファスナー８及び中間部ファスナー13の各軸部8a、13aが受け部材９、14の案内溝9a、14aに沿って原位置から昇降する。
【００４７】
図９は層間変位δを想定しない状態でのパネルユニット１の回転の様子を示すが、実際の層間変位時には上部ファスナー８が接続された受け部材９のボルト12と、中間部ファスナー13が接続された受け部材14のボルト17が変位側へ平行移動するため、受け部材９、14の回転量は小さくなる。
【００４８】
図11は上下に隣接するパネル2A，2Aを中間部ファスナー13と共に、両パネル2A，2Aに跨るピン19を用いて連結した場合を示す。ピン19は周囲をクロロプレンゴム等のゴムその他の緩衝材20によってパネル2Aを保護した状態で孔に差し込まれる。隣接するパネル2A，2Aの連結はピン19のみによって行われる場合もある。
【図面の簡単な説明】
【００４９】
【図１】壁パネルの躯体、もしくは下地材への支持状態を示した立面図である。
【図２】図１の縦断面図である。
【図３】図１の平面図である。
【図４】壁パネルの躯体、もしくは下地材への他の支持状態を示した立面図である。
【図５】図４の縦断面図である。
【図６】図４における一方のピン部分の拡大図である。
【図７】図５の拡大図である。
【図８】壁パネルが複数枚のパネルからなる場合の層間変位時の挙動の様子を示した概念図である。
【図９】壁パネルが複数枚のパネルからなる場合の層間変位時の具体的な挙動の様子を示した立面図である。
【図１０】図９における上部ファスナーと中間部ファスナー部分の縦断面図である。
【図１１】(a)は複数枚のパネルをピンによって連結した場合を示した縦断面図、(b)はその場合の壁パネルを示した立面図である。
【図１２】(a)は従来の石材パネルの配列を示した立面図、(b)は層間変位時の様子を示した立面図である。
【図１３】(a)は複数枚のパネルからなる壁パネルの平常時の様子を示した立面図、(b)は回転変位時の様子を示した立面図である。
【図１４】(a)は３枚の壁パネルが隣接する場合の平常時の様子を示した立面図、(b)は回転時の様子を示した立面図である。
【符号の説明】
【００５０】
1A……躯体、1B……下地材、
２……壁パネル、2a……嵌入孔、2A……パネル、
３……ピン、４……保持部材、５……充填材、６……緩衝材、７……裏込めモルタル、８……上部ファスナー、8a……軸部、8b……保持部、8c……ナット、
９……受け部材、9a……案内溝、
10……支持部材、11……裏板、12……ボルト、
13……中間部ファスナー、13ａ……軸部、13ｂ……保持部、13ｃ……ナット、
14……受け部材、14ａ……案内溝、
15……支持部材、16……裏板、17……ボルト、18……低摩擦材、19……ピン、
20……緩衝材。
【図１】
2004346730.tif 000003
【図２】
2004346730.tif 000004
【図３】
2004346730.tif 000005
【図４】
2004346730.tif 000006
【図５】
2004346730.tif 000007
【図６】
2004346730.tif 000008
【図７】
2004346730.tif 000009
【図８】
2004346730.tif 000010
【図９】
2004346730.tif 000011
【図１０】
2004346730.tif 000012
【図１１】
2004346730.tif 000013
【図１２】
2004346730.tif 000014
【図１３】
2004346730.tif 000015
【図１４】
2004346730.tif 000016